(57)【要約】【課題】袖付き建具の方立が変位することでラッチの係止が解除される可能性を低減又は防止することにより、袖付き建具の防火性能等を向上させることが可能になる、袖付き建具を提供すること。【解決手段】両袖付き玄関ドア１は、枠体１０と、ラッチ２５を有する扉体２０と、袖部３０、３１を備える。枠体１０は、左右の縦枠１１、１２と、方立１５、１６とを備える。扉体２０は、一方の縦枠と方立１５、１６との相互間に回動自在に配置されている。袖部３０、３１は、袖パネル３２と、この袖パネル３２に対する前後位置のうち扉体２０が開く側である開放側の位置に設けられた横桟３３とを備える。横桟３３は、ラッチ２５が係止する方立１５の開放側の端部１５ｃが、左右方向のうちラッチ２５から離れる方向に変位することを規制する変位規制手段である。【選択図】図１
2014177815.tif 000002
【特許請求の範囲】
【請求項１】
建物の開口部に設けられた枠体と、前記開口部を開閉するものであってラッチを有する開閉体と、当該開閉体の左右の側方のうち前記ラッチに近い方に設けられた袖部と、を備える袖付き建具において、
前記枠体は、
前記開口部の左右の両側方に立設された縦枠と、
前記左右の縦枠の相互間に配置された方立とを備え、
前記開閉体は、
前記左右の縦枠のいずれか一方と前記方立との相互間に回動自在に配置され、
当該開閉体が全閉位置に位置している状態において前記ラッチが前記方立に係脱自在に係止し、
前記袖部は、
前記左右の縦枠のいずれか他方と前記方立との相互間に配置され、
前記他方の縦枠と前記方立との相互間の開口部を閉鎖する袖パネルと、
前記袖パネルに対する前後位置のうち前記開閉体が開く側である開放側の位置に設けられたものであって、前記ラッチが係止する前記方立の開放側の端部が、左右方向のうち前記ラッチから離れる方向に変位することを規制する変位規制手段とを備える、
袖付き建具。
【請求項２】
前記変位規制手段を、前記袖部における上下方向の各位置のうち、前記ラッチに対する近傍位置に設けた、
請求項１に記載の袖付き建具。
【請求項３】
前記変位規制手段を、前記袖部における前後方向の各位置のうち、前記ラッチが係止する前記方立の開放側の端部に対する近傍位置に設けた、
請求項１又は２に記載の袖付き建具。
【請求項４】
前記変位規制手段を、前記他方の縦枠から、前記ラッチが係止する前記方立に至る、横桟として形成した、
請求項１から３のいずれか一項に記載の袖付き建具。
【発明の詳細な説明】
【技術分野】
【０００１】
本発明は、建物の開口部を開閉する袖付き建具に関する。
【背景技術】
【０００２】
従来、玄関ドアとして、扉体の側方に袖部を設けることにより高級感や採光性を高めた袖付きドアが普及している。この袖付きドアとしては、扉体の左右の両側方に袖部を設けた両袖付きドアと、扉体の左右のいずれか一側方に袖部を設けた片袖付きドアとがある。図７は、従来の両袖付き玄関ドアの正面図、図８は、図７の両袖付き玄関ドアのＣ−Ｃ矢視断面図である。この両袖付きドア１００は、枠体１１０に扉体１２０と左右一対の袖部１３０、１３１とを収容して構成されている。枠体１１０は、左右一対の縦枠１１１、１１２、上枠１１３、及び下枠１１４から、全体として正面角環状の枠として構成され、さらに縦枠１１１、１１２の相互間に一対の方立１１５、１１６を設けて構成されている。これら一対の方立１１５、１１６の相互間に扉体１２０が収容され、一対の方立１１５、１１６の各々と縦枠１１１、１１２の相互間に袖部１３０、１３１が収容されている。扉体１２０の戸尻側の端部には蝶番１２１が設けられており、この蝶番１２１を介して、扉体１２０が一方の方立１１６に対して回動自在に軸支されている。また、扉体１２０の戸先側の端部にはラッチ１２２が設けられており、扉体１２０を全閉位置に位置させた状態において、このラッチ１２２が戸先側の方立１１５に設けたラッチ受け１１５ａに係脱自在に係止することにより、扉体１２０を全閉位置に維持することが可能になっている（従来の両袖付きドアの構造については、例えば特許文献１参照）。
【先行技術文献】
【特許文献】
【０００３】
【特許文献１】特開２００３−１３８８５５号公報
【発明の概要】
【発明が解決しようとする課題】
【０００４】
しかしながら、このように構成された従来の袖付きドア１００には、防火性能の観点から改善の余地があった。すなわち、袖付きドア１００の外側（扉体１２０が開く側）において火災が発生した場合には、火災の熱によって方立１１５、１１６が熱せられることにより、方立１１５、１１６の外側部分の温度が内側部分の温度より高温になり、これら外側部分と内側部分との相互間に温度差が発生する可能性がある。特に、方立１１５、１１６が断熱性向上のために中空構造になっている場合には、この方立１１５、１１６の外側部分の熱が内側部分に伝導し難いことから、これら外側部分と内側部分との相互間の温度差が一層顕著になる可能性がある。そして、このように温度差が発生した場合、方立１１５、１１６の外側部分のみが膨張して左右方向に変位することで、方立１１５、１１６が全体として捻じれる可能性があった。ここで、戸先側の方立１１５の外側部分が変位する場合、方立１１５の扉体１２０側においては当該扉体１２０によって方立１１５の変位が規制されるのに対して、方立１１５に隣接する袖部１３０側においてはスペースが空いているために方立１１５の変位が規制されないことから、当該袖部１３０側へ変位することになる（この変位後の状態を図８において想像線で示す）。このように戸先側の方立１１５の外側部分が袖部１３０側へ変位した場合には、この方立１１５の外側部分が扉体１２０のラッチ１２２から離れる方に変位することになるため、このラッチ１２２による方立１１５のラッチ受け１１５ａに対する係止が解除されてしまい、扉体１２０が自然に開いてしまうことで防火性能が低下する可能性があった。特に、近年は、建具には従来よりも一層高い防火性能が求められることになっており、袖付きの建具に関しても防火性能の観点から一層の改善が求められていた。
【０００５】
本発明は、上記従来技術における課題を解決するためのものであって、袖付き建具の方立が変位することでラッチの係止が解除される可能性を低減又は防止することにより、袖付き建具の防火性能等を向上させることが可能になる、袖付き建具を提供することを目的とする。
【課題を解決するための手段】
【０００６】
上述した課題を解決し、目的を達成するために、請求項１に記載の袖付き建具は、建物の開口部に設けられた枠体と、前記開口部を開閉するものであってラッチを有する開閉体と、当該開閉体の左右の側方のうち前記ラッチに近い方に設けられた袖部と、を備える袖付き建具において、前記枠体は、前記開口部の左右の両側方に立設された縦枠と、前記左右の縦枠の相互間に配置された方立とを備え、前記開閉体は、前記左右の縦枠のいずれか一方と前記方立との相互間に回動自在に配置され、当該開閉体が全閉位置に位置している状態において前記ラッチが前記方立に係脱自在に係止し、前記袖部は、前記左右の縦枠のいずれか他方と前記方立との相互間に配置され、前記他方の縦枠と前記方立との相互間の開口部を閉鎖する袖パネルと、前記袖パネルに対する前後位置のうち前記開閉体が開く側である開放側の位置に設けられたものであって、前記ラッチが係止する前記方立の開放側の端部が、左右方向のうち前記ラッチから離れる方向に変位することを規制する変位規制手段とを備えて構成されている。
【０００７】
また、請求項２に記載の袖付き建具は、請求項１に記載の袖付き建具において、前記変位規制手段を、前記袖部における上下方向の各位置のうち、前記ラッチに対する近傍位置に設けて構成されている。
【０００８】
また、請求項３に記載の袖付き建具は、請求項１又は２に記載の袖付き建具において、前記変位規制手段を、前記袖部における前後方向の各位置のうち、前記ラッチが係止する前記方立の開放側の端部に対する近傍位置に設けて構成されている。
【０００９】
また、請求項４に記載の袖付き建具は、請求項１から３のいずれか一項に記載の袖付き建具において、前記変位規制手段を、前記他方の縦枠から、前記ラッチが係止する前記方立に至る、横桟として形成して構成されている。
【発明の効果】
【００１０】
請求項１に記載の袖付き建具によれば、袖付き建具の方立の開放側の端部が火災時の熱によって変位する場合においても、この方立の開放側の端部がラッチから離れる方向に変位することを規制でき、開閉体が自然に開いてしまうことを防止できるため、袖付き建具の防火性能を向上させることが可能になる。また、方立の開放側の端部の変位を規制することで、方立の強度を高めることができるので、例えば、不審者がバール等で方立を変形させて開閉体を開くことが困難になり、袖付き建具の防犯性能を高めることができる。
【００１１】
また、請求項２に記載の袖付き建具によれば、袖部における上下方向の位置のうち、ラッチの係止状態に大きな影響を与え得る位置において方立の変位を規制することができるため、方立の変位を一層効果的に規制することが可能になり、袖付き建具の防火性能や防犯性能を一層向上させることが可能になる。
【００１２】
また、請求項３に記載の袖付き建具によれば、袖部における前後方向の位置のうち、ラッチの係止状態に大きな影響を与え得る位置において方立の変位を規制することができるため、袖付き建具の防火性能や防犯性能を一層向上させることが可能になる。
【００１３】
また、請求項４に記載の袖付き建具によれば、方立と縦枠の相互間隔を横桟という簡易かつ安価な規制構造によって維持することができるため、袖付き建具の防火性能や防犯性能を簡易かつ安価に向上させることが可能になる。
【図面の簡単な説明】
【００１４】
【図１】本発明の一実施の形態に係る両袖付き玄関ドアの正面図である。
【図２】図１の両袖付き玄関ドアのＡ−Ａ矢視断面図である。
【図３】図１の両袖付き玄関ドアのＢ−Ｂ矢視断面図である。
【図４】図２の横桟周辺の拡大図である。
【図５】図３の横桟周辺の拡大図である。
【図６】横桟の取り付け方法を説明する概念図であり、（ａ）は横桟の取り付け前の状態の要部分解斜視図、（ｂ）は横桟の一部のみを取り付けた状態の要部分解斜視図、（ｃ）は横桟の取り付け後の状態の要部斜視図である。
【図７】従来の両袖付き玄関ドアの正面図である。
【図８】図７の両袖付き玄関ドアのＣ−Ｃ矢視断面図である。
【発明を実施するための形態】
【００１５】
以下に添付図面を参照して、本発明に係る実施の形態を詳細に説明する。最初に、本実施の形態の基本的概念について説明し、次に、本実施の形態の具体的内容について順次説明し、最後に、本実施の形態に対する変形例について説明する。ただし、本実施の形態によって本発明が限定されるものではない。
【００１６】
〔本実施の形態の基本的概念〕
最初に、本実施の形態の基本的概念について説明する。本実施の形態は、袖付き建具に関するものである。ここで、「建具」とは、建物の開口部に設けられる開閉可能な仕切りであり、「ドア」や「窓」を含む。「袖付き建具」とは、袖部を備えた建具であって、建具の両側方に袖部を備えた「両袖タイプの建具」と、建具の一側方に袖部を備えた「片袖タイプの建具」とを含み、例えば、建具が「ドア」である場合には、「両袖ドア」や「片袖ドア」を含む。「建具」の取り付け位置や用途は任意であり、例えば、建具が「ドア」である場合には、玄関に設置される「玄関ドア」、勝手口や通用口に設置される「勝手口ドア」、あるいは建物内部に設置されて防火区画を形成するための「防火用ドア」を含む。また、「建具」の開閉方向は任意であり、例えば、建具が「玄関ドア」である場合には、屋外側に向けて開く「外開きドア」や、屋内側に向けて開く「内開きドア」を含む。本実施の形態では、建具が「両袖付き玄関ドア（外開きドア）」である場合を例示する。
【００１７】
〔本実施の形態の具体的内容〕
次に、本実施の形態の具体的内容について説明する。図１は、両袖付き玄関ドアの正面図、図２は、図１の両袖付き玄関ドアのＡ−Ａ矢視断面図、図３は、図１の両袖付き玄関ドアのＢ−Ｂ矢視断面図である。以下では、図１〜３に示す各方向のうち、Ｘ方向を右方向、Ｘ’方向を左方向、Ｙ方向を前方向（又は外側方向若しくは開放方向）、Ｙ’方向を後方向（又は内側方向若しくは閉鎖方向）、Ｚ方向を上方向、Ｚ’方向を下方向、と称する。これら図１、２に示すように、両袖付き玄関ドア１は、枠体１０、扉体２０、及び一対の袖部３０、３１を備えて構成されている。ただし、両袖付き玄関ドア１は、以下に特記する構成を除いて、公知の両袖付き玄関ドアと同様に構成することができるものとする。
【００１８】
（枠体）
枠体１０は、建物の開口部に設けられるものであり、左右一対の縦枠１１、１２、上枠１３、下枠１４、及び左右一対の方立１５、１６を備えている。このうち、左右一対の縦枠１１、１２、上枠１３、及び下枠１４は、それぞれ開口部の周縁における建物の躯体２（後述する図５においてのみ図示）に公知の方法で直接的に固定され、相互に組み合わせられて、全体として正面角環状の枠を構成する。左右一対の方立１５、１６は、扉体２０と袖部３０、３１とを相互に仕切る中縦枠であり、一対の縦枠１１、１２の相互間において鉛直方向に沿って配置されていて、上枠１３、下枠１４に対して公知の方法で固定されている。以下では、必要に応じて、一対の縦枠１１、１２のうち、扉体２０の戸先側（扉体２０の左右のうち後述するラッチ２５に近い側であり、本実施の形態においては左側）の縦枠１１を「戸先側縦枠」１１と称し、扉体２０の戸尻側（扉体２０の左右のうち後述する蝶番２３に近い側であり、本実施の形態においては右側）の縦枠１２を「戸尻側縦枠」１２と称する。また、以下では、必要に応じて、一対の方立１５、１６のうち、扉体２０の戸先側の方立１５を「戸先側方立」１５と称し、扉体２０の戸尻側の方立１６を「戸尻側方立」１６と称する。このうち、戸先側方立１５には、扉体２０を全閉位置（本実施の形態においては図１〜３に示す位置）に位置させた状態において、後述するシリンダ錠２６のデッドボルトに対応する位置に、当該デッドボルトを係脱自在に係止させるためのデッドボルト受け（図示省略）が設けられていると共に、後述するラッチ２５に対応する位置に、当該ラッチ２５を係脱自在に係止させるためのラッチ受け１５ａ（図５参照）が設けられている。
【００１９】
これら枠体１０を構成する各部材は、任意の方法や材質で製造することができ、例えば、アルミニウム合金を押出成形することにより製造することができるが、本実施の形態においては、アルミニウム合金よりも高強度のステンレス鋼を曲げ成形することにより製造されており、枠体１０の剛性が高められている。また、枠体１０の各部材は、任意の構造で構成することができ、例えば、方立１５、１６は、断熱性の高い中空構造として構成されており、その内部には強度補強用の方立補強材１５ｂ（後述する図５においてのみ図示）が設けられている。
【００２０】
（扉体）
扉体２０は、建物の開口部を開閉するための平板状の開閉体である。この扉体２０は、任意の方法や材質で製造することができ、例えば、複数のスチール製の枠材から正面方形環状に枠組みされた扉枠２０ａを、その前面及び後面に配置した一対の化粧鋼板２０ｂ、２０ｃで外側から覆い、これら一対の化粧鋼板２０ｂ、２０ｃの相互間に断熱材２０ｄを収容して構成されている。このように構成された扉体２０は、当該扉体２０の戸尻側の側面において、上下方向における３箇所に配置された蝶番２３を介して、戸尻側方立１６に回動自在に軸支されている。また、図５に示すように、扉体２０の戸先側の近傍位置には、把手２４、ラッチ２５、及びシリンダ錠２６が設けられている。把手２４は、扉体２０の前面と後面における相互に対応する位置に設けられており、この把手２４を介してユーザが扉体２０の開閉操作を行うことが可能となっている。ラッチ２５は、扉体２０の内部に設けられた連動機構（図示省略）を介して把手２４と連結されており、ユーザによる把手２４の操作に連動して、ラッチ２５を扉体２０の戸先側の側面から出し入れすることができ、扉体２０を全閉位置に位置させた状態において、このラッチ２５を戸先側方立１５のラッチ受け１５ａに係脱自在に係止させることで、施錠の有無に関わらず、扉体２０を全閉位置に維持することが可能になっている。また、シリンダ錠２６は、扉体２０の把手２４の近傍位置に設けられており、ユーザが扉体２０の前方から鍵操作を行うことにより、あるいはユーザが扉体２０の後方からサムターン操作を行うことにより、デッドボルト（図示省略）を扉体２０の戸先側の側面から出し入れすることができ、扉体２０を全閉位置に位置させた状態において、このデッドボルトを戸先側方立１５のデッドボルト受けに係止させることで、扉体２０を施錠することができる。
【００２１】
（袖部）
一対の袖部３０、３１は、扉体２０と共に、建物の開口部を閉鎖するための平板状の閉鎖体である。これら一対の袖部３０、３１のうち、一方の袖部３０は、戸先側縦枠１１、上枠１３、下枠１４、及び戸先側方立１５の相互間に配置されており、他方の袖部３１は、戸尻側縦枠１２、上枠１３、下枠１４、及び戸尻側方立１６の相互間に配置されている。以下では、必要に応じて、前者の袖部３０（扉体２０のラッチ２５に近い方に設けられた袖部３０）を「戸先側袖部」３０と称し、後者の袖部３１（扉体２０のラッチ２５から遠い方に設けられた袖部３１）を「戸尻側袖部」３１と称する。ただし、戸先側袖部３０と戸尻側袖部３１は、扉体２０を中心として左右対称に構成することができるため、以下では、戸先側袖部３０についてのみ説明し、戸尻側袖部３１については説明を省略する。この戸先側袖部３０は、袖パネル３２を備えて構成されている。この袖パネル３２は、戸先側縦枠１１と戸先側方立１５との相互間の開口部を閉鎖するもので、ガラス板や高強度かつ耐熱性のある透明樹脂パネルから形成された平板状部材である。
【００２２】
この袖パネル３２の上下左右の周縁部は、枠体１０に固定されており、このことによって、袖パネル３２が枠体１０に嵌め殺し状に固定されている。具体的には、袖パネル３２の上方の周縁部は、上枠１３と袖上枠１３ａとの相互間に収容されている。この袖上枠１３ａは、戸先側縦枠１１と戸先側方立１５の相互間隔に対応した長さを有する部材であって、上枠１３の開放側（本実施の形態では外側又は前側）において当該上枠１３に沿って配置されており、この上枠１３にネジ又は溶接等にて取り付けられている。また、袖パネル３２の下方の周縁部は、幅木１４ａと押縁１４ｂとの相互間に収容されている。この幅木１４ａは、戸先側縦枠１１と戸先側方立１５の相互間隔に対応した長さを有する部材であって、下枠１４の上方における開放側の位置において当該下枠１４に沿って配置されており、この下枠１４に対してネジ又は溶接等にて取り付けられている。押縁１４ｂは、幅木１４ａとほぼ同様の長さを有する部材であって、下枠１４の上方における非開放側（本実施の形態では内側又は後側）の位置において当該下枠１４に沿って配置されており、下枠１４又は幅木１４ａに対してネジ又は溶接等にて取り付けられている。また、袖パネル３２の左側の周縁部は、戸先側縦枠１１に形成された取り付け溝１１ａに収容されている。また、袖パネル３２の右側の周縁部は、戸先側方立１５と押縁１５ｄとの相互間に収容されている。この押縁１５ｄは、戸先側方立１５とほぼ同様の長さを有する部材であって、戸先側方立１５の非開放側において当該戸先側方立１５に沿って配置されており、この戸先側方立１５にネジ又は溶接等にて取り付けられている。
【００２３】
（戸先側袖部−横桟）
このように構成された戸先側袖部３０には、横桟３３が設けられている。図４は、図２の横桟周辺の拡大図、図５は、図３の横桟周辺の拡大図である。この横桟３３は、ラッチ２５が係止する戸先側方立１５の開放側（本実施の形態では外側又は前側）の端部が、左右方向のうちラッチ２５から離れる方向に変位することを規制する変位規制手段である。つまり、発明が解決しようとする課題として上述したように、両袖付き玄関ドア１の外側において火災が発生した場合には、火災の熱によって戸先側方立１５が熱せられることにより、戸先側方立１５の外側部分が戸先側袖部３０に向けて変位することにより、ラッチ２５による戸先側方立１５のラッチ受け１５ａに対する係止が解除されてしまい、扉体２０が自然に開いてしまうことで防火性能が低下する可能性があった。そこで、本実施の形態では、このような戸先側方立１５の外側部分の変位を横桟３３で規制して低減又は防止することで、戸先側方立１５のラッチ受け１５ａに対する扉体２０のラッチ２５の係止状態を維持し、扉体２０が開くことで防火性能が低下する可能性を低減又は防止している。また、このように戸先側方立１５の外側部分の変位を規制することで、戸先側方立１５の強度を高めることができるので、例えば、不審者がバール等で戸先側方立１５を変形させて扉体２０を開くことが困難になり、防犯性能を高めることができる。
【００２４】
具体的には、この横桟３３は、袖パネル３２に対する前後位置のうち、扉体２０が開く側である開放側の位置に設けられている。すなわち、袖パネル３２の前側には、当該袖パネル３２、戸先側縦枠１１、上枠１３、下枠１４、及び戸先側方立１５によって囲繞された縦長の方形状の前側空間部３４が形成されており、この前側空間部３４に横桟３３が配置されている。この横桟３３は、戸先側縦枠１１から戸先側方立１５に連続的に至る水平状の部材として構成されている。このように戸先側縦枠１１と戸先側方立１５の相互間に横桟３３を介在させた場合、戸先側縦枠１１は建物の躯体２に固定されているために変位し難いことから、これら戸先側縦枠１１と戸先側方立１５の相互間隔を横桟３３によって維持することで、戸先側方立１５の外側部分が戸先側縦枠１１や戸先側袖部３０に向けて変位することを規制することができる。この横桟３３の材料は任意であるが、耐火性の高い材料を使用することが好ましく、例えば、戸先側縦枠１１や戸先側方立１５のような他の枠部材と同等程度の耐火性を有する材料（ステンレス鋼、スチール等）を使用することが好ましい。
【００２５】
（戸先側袖部−横桟−配置位置）
さらに、この空間部における横桟３３の配置位置について説明する。戸先側方立１５のラッチ受け１５ａに対する扉体２０のラッチ２５の係止を効果的に維持するためには、ラッチ２５の係止状態に極力大きな影響を与え得る位置において戸先側方立１５の変位を規制することが好ましいため、本実施の形態においては、この点を考慮して、横桟３３の配置位置を決定している。このような横桟３３の配置位置を、上下方向における位置と、前後方向における位置に区別して順次説明する。
【００２６】
最初に、上下方向における配置位置について説明する。ラッチ２５の係止状態に極力大きな影響を与えるためには、ラッチ２５に対する近傍位置において戸先側方立１５の変位を規制することが好ましい。従って、横桟３３は、戸先側袖部３０における上下方向の各位置のうち、ラッチ２５に対する近傍位置に設けられている。ここで、「ラッチ２５に対する近傍位置」とは、ラッチ２５の係止状態に大きな影響を与え得る位置であれば任意であるが、例えば、ラッチ２５の上下方向の中心位置に対して、横桟３３の上下方向の中心位置が、扉体２０の全高の１０％以内となる位置（扉体２０の全高が２０００ｍｍである場合には、２００ｍｍ以内となる位置）である。さらには、ラッチ２５の上下方向の中心位置に対して、横桟３３の上下方向の中心位置が同一になる位置であることが、最も好ましい。ただし、ラッチ２５の係止状態に十分な影響を与え得る場合には、ラッチ２５に対する近傍位置以外の位置に横桟３３を配置してもよい。
【００２７】
（戸先側袖部−横桟−前後方向の配置位置）
次に、前後方向における横桟３３の配置位置について説明する。ラッチ２５の係止状態に極力大きな影響を与えるためには、戸先側方立１５において変位が最も大きくなり得る位置において当該変位を規制することが好ましい。戸先側方立１５の変位は、当該戸先側方立１５の外側部分が内側部分を中心として戸先側袖部３０に向けて回転するような変位であり、外側に至るに伴って変位量が大きくなることが想定されるため、極力外側の位置において戸先側方立１５の変位を規制することが好ましい。従って、横桟３３は、戸先側袖部３０における前後方向の各位置のうち、戸先側方立１５の開放側の端部１５ｃに対する近傍位置に設けられている。ここで、「戸先側方立１５の開放側の端部１５ｃに対する近傍位置」とは、ラッチ２５の係止状態に大きな影響を与え得る位置であれば任意であり、例えば、少なくともラッチ２５の位置と同じ位置若しくはラッチ２５の位置よりも開放側の位置であればよく、最も好ましくは、戸先側方立１５の開放側の端面の位置に対して、横桟３３の開放側の端面の位置が同一になる位置である。ただし、必ずしも、戸先側方立１５の開放側の端面の位置と同一位置でなくでもよく、例えば、戸先側方立１５の開放側の端面の位置に対して、横桟３３の開放側の端面の位置が、前側空間部３４の前後方向寸法の５０％以内となる位置（前側空間部３４の前後方向寸法が５０ｍｍである場合には、２５ｍｍ以内となる位置）とすればよい。また、ラッチ２５の係止状態に対する影響の程度を考慮することに加えて、両袖付き玄関ドア１の意匠性を高める工夫を施すことが好ましい。このように意匠性を高めるためには、例えば、横桟３３の開放側の端面の位置を、両袖付き玄関ドア１において開放側に露出する部分のうち、いずれかの部分の開放側の端面の位置に対して、面一状となる位置にすることが好ましい。このため、本実施の形態においては、横桟３３の開放側の端面の位置を、袖上枠１３ａや幅木１４ａの開放側の端面の位置に対して、面一状となる位置としている。
【００２８】
（戸先側袖部−横桟−構造及び取り付け方法）
上記のような変位規制機能を奏し得る限りにおいて、横桟３３の具体的な構造や取り付け方法は任意であるが、既存の両袖付き玄関ドアにも取り付けることができ、さらには意匠性にも優れた構造や取り付け方法を採用することが好ましい。図６は、横桟３３の取り付け方法を説明する概念図であり、（ａ）は横桟３３の取り付け前の状態の要部分解斜視図、（ｂ）は横桟３３の一部のみを取り付けた状態の要部分解斜視図、（ｃ）は横桟３３の取り付け後の状態の要部斜視図である。この図６に示すように、本実施の形態においては、横桟３３を、縦断面がコ字状の一対の桟材３３ａ、３３ｂであって、一方が他方より僅かに大きい一対の桟材３３ａ、３３ｂを、相互に対向する向きで組み合わせることによって、全体として中空の四角柱形状となるように構成している。これら一対の桟材３３ａ、３３ｂのうち、小さい方の桟材３３ａは、開口部を外側に向けた状態で、袖パネル３２に近い側に配置されており、図６（ｂ）に示すように、その長手方向の端部３３ｃにおいて、戸先側縦枠１１と戸先側方立１５に対して溶接等によって固定されている。また、一対の桟材３３ａ、３３ｂのうち、大きい方の桟材３３ｂは、開口部を内側に向けた状態で、袖パネル３２から遠い側に配置されており、図６（ｃ）に示すように、袖パネル３２側の端部３３ｄにおいて、小さい方の桟材３３ａに対して溶接等によって固定されている。このような構造や取り付け方法によれば、既存の両袖付き玄関ドアに対しても、横桟３３を外側から後付けすることが可能である。また、戸先側縦枠１１と戸先側方立１５に対する桟材３３ａの溶接箇所である端部３３ｃや、各桟材３３ａ、３３ｂの開口部を、大きい桟材３３ｂで覆うことで外部にほとんど露出しないようにできるため、戸先側袖部３０の意匠性を向上させることが可能になる。
【００２９】
（戸尻側袖部−横桟）
最後に、戸尻側袖部３１の横桟３３について説明する。上述のように、戸先側袖部３０と戸尻側袖部３１は、扉体２０を中心として左右対称に構成することができるものであり、戸尻側袖部３１にも、戸先側袖部３０と同様に横桟３３が設けられている。このため、両袖付き玄関ドア１の正面形状を、扉体２０を中心として左右対称にすることができ、意匠性を向上させることができる。
【００３０】
（実施の形態の効果）
これまで説明したように本実施の形態によれば、両袖付き玄関ドア１の戸先側方立１５の開放側の端部１５ｃが火災時の熱によって変位する場合においても、この戸先側方立１５の開放側の端部１５ｃがラッチ２５から離れる方向に変位することを規制でき、扉体２０が自然に開いてしまうことを防止できるため、両袖付き玄関ドア１の防火性能を向上させることが可能になる。また、戸先側方立１５の開放側の端部１５ｃの変位を規制することで、戸先側方立１５の強度を高めることができるので、例えば、不審者がバール等で戸先側方立１５を変形させて扉体２０を開くことが困難になり、両袖付き玄関ドア１の防犯性能を高めることができる。
【００３１】
また、袖部３０、３１における上下方向の位置のうち、ラッチ２５の係止状態に大きな影響を与え得る位置において戸先側方立１５の変位を規制することができるため、戸先側方立１５の変位を一層効果的に規制することが可能になり、両袖付き玄関ドア１の防火性能や防犯性能を一層向上させることが可能になる。
【００３２】
また、袖部３０、３１における前後方向の位置のうち、ラッチ２５の係止状態に大きな影響を与え得る位置において戸先側方立１５の変位を規制することができるため、両袖付き玄関ドア１の防火性能や防犯性能を一層向上させることが可能になる。
【００３３】
また、戸先側方立１５と戸先側縦枠１１の相互間隔を横桟３３という簡易かつ安価な規制構造によって維持することができるため、両袖付き玄関ドア１の防火性能や防犯性能を簡易かつ安価に向上させることが可能になる。
【００３４】
〔本実施の形態に対する変形例〕
以上、本実施の形態について説明したが、本発明の具体的な構成及び手段は、特許請求の範囲に記載した各発明の技術的思想の範囲内において、任意に改変及び改良することができる。以下、このような変形例について説明する。
【００３５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、従来と比べて防火性能は同等であるが防犯性能が向上できている場合にも、本願の課題は解決されている。
【００３６】
（建具と変位規制手段の関係について）
変位規制手段は、建具が備える少なくとも１つの袖部に、少なくとも１つの変位規制手段を設ければよい。「少なくとも一つの袖部」とは、建具が１つの袖部のみを備える場合には、変位規制手段を、当該袖部に設け、建具が複数の袖部を備える場合には、変位規制手段を、１つの袖部のみに設けてもよく、あるいは複数の袖部の各々に設けてもよいことを意味する。例えば、上記実施の形態においては、建具が複数の袖部３０、３１を備える「両袖付き玄関ドア」１であり、戸先側袖部３０と戸尻側袖部３１の各々に横桟３３を設ける例を示したが、戸尻側方立１６にはラッチ２５が係止しないことから、戸尻側方立１６が戸尻側袖部３１に向けて変位しても、扉体２０の開閉には直接的な影響を与えないため、戸尻側袖部３１の横桟３３は省略してもよい。あるいは、建具が「片袖付き玄関ドア」である場合において、戸先側袖部３０のみが設けられている場合には、この戸先側袖部３０に変位規制手段を設ければよい。また、特許請求の範囲における「袖付き建具」とは、「片袖付き建具」と「両袖付き建具」を包含するものである。例えば、特許請求の範囲における「前記開閉体は、前記左右の縦枠のいずれか一方と前記方立との相互間に回動自在に配置され」との記載は、両袖付き建具において、左右の縦枠のいずれか一方の相互間に一対の方立が配置されている状態において、これら一対の方立の相互間に開閉体が配置されている状態を包含するものである。すなわち、上記実施の形態のように、直接的には戸先側方立１５と戸尻側方立１６の相互間に扉体２０が配置されている状態においても、概念的には戸尻側縦枠１２と戸先側方立１５の相互間に（戸尻側方立１６を隔てて）扉体２０が位置していると言えるため、この状態を特許請求の範囲で示している。また、特許請求の範囲における「前記ラッチが係止する前記方立」とは、「片袖付き建具」の場合には１つのみ設けられた方立を意味し、「両袖付き建具」の場合には戸先側方立を意味する。
【００３７】
また、「少なくとも１つの変位規制手段」とは、１つの袖部に対して、変位規制手段を１つ又は複数設けてもよいことを意味する。例えば、変位規制手段を、袖部における上下方向の各位置のうち、ラッチ２５に対する近傍位置と、その他の任意の位置に、それぞれ設けてもよい。また、扉体２０が複数のラッチ２５を備える場合、変位規制手段は、これら複数のラッチ２５のうち、任意のいずれか一つのラッチ２５に対する近傍位置のみに設けてもよく、あるいは、全てのラッチ２５に対する近傍位置に設けてもよい。さらに、袖パネル３２に対する開放側の位置に加えて、袖パネル３２に対する閉鎖側の位置（図１の両袖付き玄関ドア１の場合には室内側の位置）に変位規制手段を設けることで、建具の前後の意匠性の統一を図る等してもよい。
【００３８】
（変位規制手段の上下方向の配置位置について）
上記実施の形態においては、変位規制手段としての横桟３３を、戸先側袖部３０における上下方向の各位置のうち、ラッチ２５に対する近傍位置に設ける場合を例示したが、ラッチ２５の係止状態に十分な影響を与え得る場合には、ラッチ２５に対する近傍位置以外の位置に横桟３３を配置してもよい。また、変位規制手段の上下方向の配置位置は、ラッチ２５以外を基準として決定してもよく、例えば、把手２４の上下方向の中央位置、把手２４の台座と同じ位置、あるいは扉体２０の化粧鋼板２０ｂに設けた目地２０ｅ（図１参照）や模様等と同じ位置としたり、化粧鋼板２０ｂに設けた目地２０ｅや模様等とは異なる位置であるがこれら目地２０ｅや模様等と連続して一体的な意匠を構成する位置としたりすることで、意匠性を向上させる等してもよい。
【００３９】
（変位規制手段の前後方向の配置位置について）
上記実施の形態においては、変位規制手段としての横桟３３の前後方向の位置として、横桟３３の開放側の端面の位置が、袖上枠１３ａや幅木１４ａの開放側の端面の位置に対して、面一状となる位置である場合について説明したが、ラッチ２５の係止状態に十分な影響を与え得る場合には、他の位置に横桟３３を配置してもよい。例えば、意匠性を向上させる目的においても、袖上枠１３ａや幅木１４ａの開放側の端面の位置以外を基準としてもよく、開閉体である扉体２０の開放側の端部の位置、把手２４の台座の位置、戸先側方立１５の開放側の端面の位置、戸先側縦枠１１の開放側の端面の位置、あるいは、戸先側袖部３０に郵便受け等を取り付ける場合には当該郵便受け等の開放側の端面の位置を基準としてもよい。
【００４０】
（変位規制手段の構造について）
上記実施の形態においては、変位規制手段としての横桟３３が一対の桟材３３ａ、３３ｂから全体として中空の四角柱状に構成される場合を例示したが、変位規制手段を、三角柱や六角柱等の多角柱、円柱、楕円柱、あるいは縦断面がコ字状やＨ状の柱として構成したり、内部に断熱材等を収容した中実柱として構成したりしてもよい。あるいは、変位規制手段を、建具全体や開閉体の意匠と共通性を有する形状（例えば、開閉体の前面に唐草模様が描かれている場合には、変位規制手段を、唐草を模した金具にする等）してもよい。また、変位規制手段は、戸先側縦枠１１から戸先側方立１５に連続的に至る横桟３３として構成する必要はない。例えば、戸先側袖部３０の袖パネル３２が金属板として構成されている場合には、変位規制手段を、この袖パネル３２の開放側の端面から戸先側袖部３０の袖パネル３２側の面に至る横断面Ｌ字形の金具として構成し、この金具をこれら袖パネル３２や戸先側袖部３０にネジ等で固定してもよい。
【００４１】
（変位規制手段の追加的機能について）
また、変位規制手段には、変位規制機能に加えて、さらに他の機能を持たせるようにしてもよい。例えば、変位規制手段としての横桟３３の前面に、表札を固定したり、呼び鈴やインターホンを固定したり、傘を引っ掛けることができる傘立てにしたりしてもよい。
【００４２】
〔付記〕
付記１に記載の袖付き建具は、建物の開口部に設けられた枠体と、前記開口部を開閉するものであってラッチを有する開閉体と、当該開閉体の左右の側方のうち前記ラッチに近い方に設けられた袖部と、を備える袖付き建具において、前記枠体は、前記開口部の左右の両側方に立設された縦枠と、前記左右の縦枠の相互間に配置された方立とを備え、前記開閉体は、前記左右の縦枠のいずれか一方と前記方立との相互間に回動自在に配置され、当該開閉体が全閉位置に位置している状態において前記ラッチが前記方立に係脱自在に係止し、前記袖部は、前記左右の縦枠のいずれか他方と前記方立との相互間に配置され、前記他方の縦枠と前記方立との相互間の開口部を閉鎖する袖パネルと、前記袖パネルに対する前後位置のうち前記開閉体が開く側である開放側の位置に設けられたものであって、前記ラッチが係止する前記方立の開放側の端部が、左右方向のうち前記ラッチから離れる方向に変位することを規制する変位規制手段とを備えて構成されている。
【００４３】
また、付記２に記載の袖付き建具は、付記１に記載の袖付き建具において、前記変位規制手段を、前記袖部における上下方向の各位置のうち、前記ラッチに対する近傍位置に設けて構成されている。
【００４４】
また、付記３に記載の袖付き建具は、付記１又は２に記載の袖付き建具において、前記変位規制手段を、前記袖部における前後方向の各位置のうち、前記ラッチが係止する前記方立の開放側の端部に対する近傍位置に設けて構成されている。
【００４５】
また、付記４に記載の袖付き建具は、付記１から３のいずれか一項に記載の袖付き建具において、前記変位規制手段を、前記他方の縦枠から、前記ラッチが係止する前記方立に至る、横桟として形成して構成されている。
【００４６】
付記１に記載の袖付き建具によれば、袖付き建具の方立の開放側の端部が火災時の熱によって変位する場合においても、この方立の開放側の端部がラッチから離れる方向に変位することを規制でき、開閉体が自然に開いてしまうことを防止できるため、袖付き建具の防火性能を向上させることが可能になる。また、方立の開放側の端部の変位を規制することで、方立の強度を高めることができるので、例えば、不審者がバール等で方立を変形させて開閉体を開くことが困難になり、袖付き建具の防犯性能を高めることができる。
【００４７】
また、付記２に記載の袖付き建具によれば、袖部における上下方向の位置のうち、ラッチの係止状態に大きな影響を与え得る位置において方立の変位を規制することができるため、方立の変位を一層効果的に規制することが可能になり、袖付き建具の防火性能や防犯性能を一層向上させることが可能になる。
【００４８】
また付記３に記載の袖付き建具によれば、袖部における前後方向の位置のうち、ラッチの係止状態に大きな影響を与え得る位置において方立の変位を規制することができるため、袖付き建具の防火性能や防犯性能を一層向上させることが可能になる。
【００４９】
また、付記４に記載の袖付き建具によれば、方立と縦枠の相互間隔を横桟という簡易かつ安価な規制構造によって維持することができるため、袖付き建具の防火性能や防犯性能を簡易かつ安価に向上させることが可能になる。
【符号の説明】
【００５０】
１、１００  両袖付き玄関ドア
１０、１１０  枠体
１１、１１１  縦枠（戸先側縦枠）
１１ａ  取り付け溝
１２、１１２  縦枠（戸尻側縦枠）
１３、１１３  上枠
１３ａ  袖上枠
１４、１１４  下枠
１４ａ  幅木
１４ｂ、１５ｄ  押縁
１５、１１５  方立（戸先側方立）
１６、１１６  方立（戸尻側方立）
１５ａ、１１５ａ  ラッチ受け
１５ｂ  方立補強材
１５ｃ  端部
２０、１２０  扉体
２０ａ  扉枠
２０ｂ、２０ｃ  化粧鋼板
２０ｄ  断熱材
２０ｅ  目地
２３、１２１  蝶番
２４  把手
２５、１２２  ラッチ
２６  シリンダ錠
３０、１３０  袖部（戸先側袖部）
３１、１３１  袖部（戸尻側袖部）
３２  袖パネル
３３  横桟
３３ａ、３３ｂ  桟材
３３ｃ、３３ｄ  端部
３４  前側空間部
【図１】
2014177815.tif 000003
【図２】
2014177815.tif 000004
【図３】
2014177815.tif 000005
【図４】
2014177815.tif 000006
【図５】
2014177815.tif 000007
【図６】
2014177815.tif 000008
【図７】
2014177815.tif 000009
【図８】
2014177815.tif 000010